(57)【要約】      （修正有）【課題】炊きあがったご飯をそのまま弁当のように簡単に携帯も可能なように、所定量ずつ炊飯することができる定量分割炊き炊飯器及びその分割容器を提供する。【解決手段】炊飯釜３と、炊飯釜の内部に装着される内釜４と、内釜の内に装着される定量を炊飯する定量炊飯容器５ａ〜５ｃとを備えた定量分割炊き炊飯器１であって、定量炊飯容器の少なくとも１つは所定量の米穀Ｒとその米穀を炊飯するのに十分な水Ｗを収容することができるものであり、かつ、有底である。【選択図】図１
0003189142.tif 000002
【実用新案登録請求の範囲】
【請求項１】
炊飯釜と、該炊飯釜の内部に装着される内釜と、該内釜の内に装着される定量を炊飯する定量炊飯容器とを備えた定量分割炊き炊飯器であって、
前記定量炊飯容器の少なくとも１つは所定量の米穀と該所定量の米穀を炊飯するのに十分な水を収容することができるものであり、かつ、有底であることを特徴とする定量分割炊き炊飯器。
【請求項２】
前記定量炊飯容器の少なくとも１つは０．１８リットル炊き用としたことを特徴とする請求項１に記載の定量分割炊き炊飯器。
【請求項３】
前記定量炊飯容器は内釜の内周と相似の円弧を有することを特徴とする請求項１または２に記載の定量分割炊き炊飯器。
【請求項４】
前記定量炊飯容器は概略直方体であることを特徴とする請求項１ないし３のいずれか１項に記載の定量分割炊き炊飯器用の定量炊飯容器。
【考案の詳細な説明】
【技術分野】
【０００１】  本考案は、定量に分割して米穀を炊くことができる定量分割炊き炊飯器及びその定量炊飯容器に関するものである。
【背景技術】
【０００２】  日本人はご飯を主食とし、複数食分を１度に炊飯することが多い。すなわち、炊飯する時は、一般に、すぐ食べる分も弁当に入れ分も後で食べる分も同時に炊飯する。また、複数人分を１度に炊飯するときも、ご飯の軟らかさ・堅さについても、ほぼ同じものが得られている。【０００３】  ところが、ご飯を直ぐ食べる分と後で食べる分を分けたい場合、成り行きに任せるということもあるが、正確に秤量する必要がある場合がある。そのときは、冷えてから秤量すればよいが、熱いときに秤量するのは大変である。特に、熱いご飯を複数グループに分けるのは、大変であり、大体の目分量にすると、正確性に欠ける。また、人によって、ご飯の軟らかさ・堅さについて、好みが異なり、それに合わせた炊飯が必要になる。ご飯の堅さを変える場合の解決方法については知られている（例えば、特許文献１）。
【先行技術文献】
【特許文献】
【０００４】
【特許文献１】特開平２００１−１７３１６号公報
【考案の概要】
【考案が解決しようとする課題】
【０００５】  しかしながら、従来のご飯の軟らかさ・堅さについて、炊き分ける方法は、米が通過できない孔のあいた仕切りを使っている。そのため、粒の小さい米以外の雑穀に使用するのが困難であり、健康のため雑穀を混ぜる場合には、良好なものとは言い難いものであった。また、移し替え、洗浄などにおいて、付着した米穀を除去するのが煩わしかった。また、仕切具は有孔であり、そのまま弁当として使用することができない。そのため、詰め替え等が必要であり、手間がかかった。【０００６】  本考案は、炊きあがったご飯をそのまま弁当のように簡単に携帯も可能なように、所定量ずつ炊飯することができる定量分割炊き炊飯器及びその定量炊飯容器を提供することを目的とする。
【課題を解決するための手段】
【０００７】  この定量分割炊き炊飯器の考案は、
炊飯釜と、該炊飯釜の内部に装着される内釜と、該内釜の内に装着される定量を炊飯する定量炊飯容器とを備えた定量分割炊き炊飯器であって、
前記定量炊飯容器の少なくとも１つは所定量の米穀と該所定量の米穀を炊飯するのに十分な水を収容することができるものであり、かつ、有底であることを特徴とする。【０００８】  請求項２に記載の定量分割炊き炊飯器の考案は、前記定量炊飯容器の少なくとも１つは０．１８リットル炊き用としたことを特徴とする。【０００９】  請求項３に記載の定量分割炊き炊飯器の考案は、前記定量炊飯容器は内釜の内周と相似の円弧を有することを特徴とする。【００１０】  この定量分割炊き炊飯器の考案は、前記定量炊飯容器は概略直方体であることを特徴とする。
【考案の効果】
【００１１】  本考案によれば、１つの炊飯釜内で予め分割した量毎に、雑穀入り・無しのご飯や軟らかさ・堅さの異なるご飯を同時に炊き上げることができる。
【図面の簡単な説明】
【００１２】
【図１】本考案の一実施の形態を示す定量分割炊き炊飯器の断面図である。
【図２】定量分割炊き用の定量炊飯容器の例を示す斜視図である。
【考案を実施するための形態】
【００１３】  本考案の実施形態を図面に基づいて説明する。
【００１４】  この実施形態の定量分割炊き炊飯器１は、外ケース２と、炊飯釜３と、炊飯釜３の内部に装着される内釜４と、内釜４の内に装着されて所定量の米穀を炊飯する定量炊飯容器５と、内釜４の開口を開閉する蓋６とを備えている。
【００１５】  定量分割炊き炊飯器１は、公知の電気釜とほぼ同様の構成であって、外ケース２内に炊飯釜３が空間をおいて収容されている。また、炊飯釜３内にはヒーター７や炊き上がり検知器８も収容されている。ヒーター７は内釜４を加熱するように内釜の下部に配置され、炊き上がり検知器８は内釜４の下面に接触して設けられている。
【００１６】  定量炊飯容器５は、この実施形態では、５ａ，５ｂ，５ｃの３種類の形状例を示している。定量炊飯容器５（特別な場合を除いて個々のものも意味する）は、上端が開口し、所定量の米穀、水を収容し、内釜４内に収容されて米穀が炊飯できるようになっている。その定量炊飯容器５ａは、空洞円柱状に形成され、０．１８リットル（１合）用等のように所定量の米穀とそれを炊飯することができる水を入れることができるようにされている。炊飯容器５ｂは、ほぼ半円形柱状に形成され、０．３６リットル（２合）用等のように所定量の米穀とそれを炊飯することができる水を入れることができるようにされている。炊飯容器５ｃは、ほぼ扇形柱状に形成され、０．１８リットル（１合）用等のように所定量の米穀とそれを炊飯することができる水を入れることができるようにされている。定量炊飯容器５は、直方体形状としても良く、この場合、違和感なく、弁当箱としてそのまま携帯できる。
【００１７】  定量炊飯容器５の材質は、特には限定されないが、熱伝導性、耐熱性、洗浄等の簡便性からアルミ、ステンレス等が好ましい。
【００１８】  内釜４の開口を開閉する蓋６は、外蓋６ａと内蓋６ｂとから構成され、外ケース２に揺動可能に設けられている。
【００１９】  次に、この定量分割炊き炊飯器１を用いて炊飯する場合の作業を説明する。まず、定量分割炊き炊飯器１の内釜４の内部に定量炊飯容器５を装着する。次いで、予め別の容器で研いだ米穀Ｒを各定量炊飯容器５ａ，５ｂ，５ｃ，５ｃ内に所定量の水Ｗと入れる。この際、例えば柔らかめのご飯を炊き上げる場合には、その定量炊飯容器５に入れる水Ｗの分量を相対的に多くする。他の割合の雑穀入りの米穀を炊き上げる場合には、その定量炊飯容器５に入れる米穀Ｒの割合を変えると共に、水Ｗの量を変える。
【００２０】  このとき、各定量炊飯容器５ａ，５ｂ，５ｃ，５ｃは完全に独立して区画されているので、各定量炊飯容器５間で米穀Ｒ粒も水Ｗも自由に移動しないようになっている。
【００２１】  その後、蓋６を閉鎖して、ヒーター７を発熱させて、炊飯を開始する。各定量炊飯容器５毎に米穀Ｒ粒が水分を吸収しつつ加熱される。この炊飯中、各定量炊飯容器５の米穀Ｒも水Ｗも他の定量炊飯容器５へ移動することなく加熱されるので、各定量炊飯容器５で独立して炊飯されるのと同様に炊飯されることとなる。従って、各定量炊飯容器５で炊き上がったご飯は、それぞれ独自性の強いものとすることができる。
【００２２】  その後、各定量炊飯容器５でご飯が炊き上げられた状態になると、内釜４の底面温度が急上昇することで、炊き上り検知器８が炊飯完了を検知し、その後、蒸らし行程に移行して、所定時間後に炊飯動作を自動的に終了する。
【００２３】  この考案によれば、内釜の内部に通水性のない独立した複数の定量炊飯容器を収容したので、各定量炊飯容器によって、異なる米穀や炊き上げるご飯の軟らかさ・堅さを人の好みに応じて変えることができる。その結果、１つの炊飯器で柔らさ・堅さの異なるご飯を同時に炊き上げることができて、極めて便利である。しかも、定量分割炊き炊飯器は、現在市販されている炊飯器に対して大きな変更を加えることなく、単に定量炊飯容器を装着すれば良いだけなので、安価にできる。
【００２４】  なお、上記では、定量分割炊き炊飯器を電気炊飯器の例で説明したが、ガス炊飯器にしても良い。また、定量炊飯容器も上記した例に限られない。例えば、水をやや少なめに入れる高さに作製したものでもよい。
【符号の説明】
【００２５】１    定量分割炊き炊飯器
３    炊飯釜
４    内釜
５    定量炊飯容器
５ａ、５ｂ、５ｃ  定量炊飯容器
６    蓋
７    ヒーター
８    検知器
Ｒ    米穀
Ｗ    水
【図１】
0003189142.tif 000003
【図２】
0003189142.tif 000004